(57)【要約】本発明は、縦軸（２）と、歯冠側端部（４）とを有する伸長体と、前記歯冠側端部から長手方向に延びる内部穴（６）と、前記内部穴の内周に形成され、長手方向に延在する複数の回転防止構造（１０，１２）とを備え、回転防止構造（１０）の第１組が、第１回転防止特性をもたらし、回転防止構造（１２）の第２組が、前記第１回転防止特性から独立した第２回転防止特性をもたらす、患者の顎骨内に挿入する歯科インプラントにおいて、第１組の回転防止構造（１０）と第２組の回転防止構造（１２）とが、部分的に共通長さ（ａ）を超えて縦軸（２）に沿って延びていることを特徴とする歯科インプラントに関する。
2013502959.tif 000002
【特許請求の範囲】
【請求項１】
縦軸（２）と、歯冠側端部（４）とを有する伸長体と、
前記歯冠側端部から長手方向に延びる内部穴（６）と、
前記内部穴の内周に形成され、長手方向に延在する複数の回転防止構造（１０，１０'，１２）と、
を備え、
回転防止構造（１０，１０'）の第１組が、第１回転防止特性をもたらし、
回転防止構造（１２）の第２組が、前記第１回転防止特性から独立した第２回転防止特性をもたらす、患者の顎骨内に挿入する歯科インプラントにおいて、
第１組の回転防止構造（１０，１０'）と第２組の回転防止構造（１２）とが、部分的に共通長さ（ａ）を超えて縦軸（２）に沿って延びていることを特徴とする歯科インプラント。
【請求項２】
縦軸（２）と、歯冠側端部（４）とを有する伸長体と、
前記歯冠側端部から長手方向に延びる内部穴（６）と、
を備え、
長手方向に延在する第１組の回転防止構造（１０，１０'）が第１回転防止特性をもたらし、かつ、長手方向に延在する第２組の回転防止構造（１２）が第２回転防止特性をもたらし、
前記第１組の回転防止構造および前記第２組の回転防止構造が、少なくとも部分的に前記内部穴の共通長さを超えて延びる、患者の顎骨内に挿入する歯科インプラントにおいて、
少なくとも一組の回転防止構造が、前記内部穴上の突起により形成されたことを特徴とする歯科インプラント。
【請求項３】
前記第１組の回転防止構造（１０，１０'）が、前記第２組の回転防止構造（１２）よりも前記長手方向穴の長さをより超えて延びていることを特徴とする請求項１または２に記載の歯科インプラント。
【請求項４】
前記第１組の回転防止構造（１０，１０'）が、前記第２組よりも、前記インプラントの歯冠側端部（４）のより近くで始まることを特徴とする請求項１から３のいずれかに記載の歯科インプラント。
【請求項５】
前記第２組の回転防止構造（１２）が、前記第１組の回転防止構造（１０，１０'）により全体的に囲まれていることを特徴とする請求項１から４のいずれかに記載の歯科インプラント。
【請求項６】
前記縦軸（２）に沿った共通長さ（ａ）が、前記回転防止構造（１０，１０'，１２）のより長い全長の少なくとも半分になることを特徴とする請求項１から５のいずれかに記載の歯科インプラント。
【請求項７】
前記第１組の回転防止構造（１０，１０'）が均等に前記縦軸（２）と垂直に形成され、
前記第２組の回転防止構造（１２）が均等に前記縦軸（２）と垂直に形成され、
前記第１組および第２組の回転防止構造の外形が同一でないことを特徴とする請求項１から６のいずれかに記載の歯科インプラント。
【請求項８】
２つの例のうち、１つの回転防止構造（１０，１０'）が円形または湾曲した外形を有し、
他の回転防止構造（１２）が角度のある外形を有することを特徴とする請求項１から７のいずれかに記載の歯科インプラント。
【請求項９】
２つの例のうち、１つの回転防止構造（１２）が、他の回転防止構造（１０，１０'）よりも幅があることを特徴とする請求項１から８のいずれかに記載の歯科インプラント。
【請求項１０】
前記穴（６）が、その歯冠側端部（４）に内方に向かって傾斜する円錐形状面を備え、前記第１および第２回転防止構造（１０，１０'，１２）の共通長さが、前記円錐形状面の端部に位置することを特徴とする請求項１から９のいずれかに記載の歯科インプラント。
【請求項１１】
前記第１組の回転防止構造（１０，１０'）が前記円錐形状面内で始まり、
前記第２組の回転防止構造（１２）が前記円錐形状面の端部で始まることを特徴とする請求項１０に記載の歯科インプラント。
【請求項１２】
それぞれの例の回転防止構造が、前記縦軸（２）の周りに一定の角度間隔で配置されていることを特徴とする請求項１から１１のいずれかに記載の歯科インプラント。
【請求項１３】
前記第２組の回転防止構造（１２）が、前記内部穴上の突起により形成されたことを特徴とする請求項１から１２のいずれかに記載の歯科インプラント。
【請求項１４】
前記穴の共通長さは半径ｒの円筒形状であり、前記突起はｒの内方に延在し、かつ、半径ｒを有する穴のセグメント間に配置されていることを特徴とする請求項１３に記載の歯科インプラント。
【請求項１５】
前記第１組の回転防止構造（１０，１０'）が、くぼみにより形成されていることを特徴とする請求項１３または１４に記載の歯科インプラント。
【請求項１６】
少なくとも複数の前記第１組のくぼみが、前記第２組の突起内に形成されていることを特徴とする請求項１５に記載の歯科インプラント。
【請求項１７】
前記穴の共通長さ（ａ）は半径ｒであり、
前記第１組の回転防止構造（１０，１０'）が、ｒを超えて半径方向に配置された回転防止面を備え、
前記第２組の回転防止構造（１２）は、ｒの内方に配置された回転防止面を備えたことを特徴とする請求項１５に記載の歯科インプラント。
【請求項１８】
縦軸（２）と、歯冠側端部（４）とを有する伸長体と、
前記歯冠側端部から長手方向に延びる内部穴（６）と、
を備え、
歯冠側端部から円筒部の円錐形状面に近接する先端方向に延び、内方に傾斜する円錐形状面（９）を有する患者の顎骨内に挿入する歯科インプラントにおいて、
前記穴が更に、
第１回転防止特性をもたらし、均等に形成された長手方向に延在する第１組の回転防止構造（１０，１０'）と、
第２回転防止特性をもたらし、均等に形成された長手方向に延在する第２組の回転防止構造（１２）とを備え、
前記第１組の回転防止構造および前記第２組の回転防止構造が、少なくとも共通長さを超え、縦軸に沿って前記円錐形状面の先端に延びることを特徴とする歯科インプラント。
【請求項１９】
請求項１から１８のいずれかに記載された歯科インプラントと、
トルクを前記第１組の回転防止構造を介して前記工具から前記インプラントまで伝達できるように、前記第１組の回転防止構造（１０，１０'）と係合するように形成され、
更に、トルクを伝達している間、第２組の回転防止機構と係合しないように形成された先端部（１６）を有する、前記骨の中に歯科インプラントを挿入する工具（１１１）と、
を備えたことを特徴とする歯科インプラントキット。
【発明の詳細な説明】
【技術分野】
【０００１】
本発明は、独立請求項の前置きに係る歯科インプラント、歯科インプラントの製造方法、歯科インプラントキット、および歯科インプラントを挿入する工具に関する。
【背景技術】
【０００２】
請求項１の前置きに係る歯科インプラントは、EP第1,419,746 A2号公報により公知である。第１回転防止構造は駆動ツールに係合するように構成されている一方、第２回転防止構造は、支台(abutment)に係合するように構成されている。歯科インプラントを患者の顎骨内に挿入した後、第２回転防止構造は初期状態にある。第１回転防止構造から独立した回転抵抗を提供するために、第２回転防止構造は第１回転防止構造の遠位部に位置する。２つの回転防止構造が連続して配置されているので、穴(bore)の内部に大きな長手方向の伸長部を必要とし、これにより、歯科インプラントを弱めると共に、通常、２つの回転防止構造は順番に組立てられなければならなかった。
【０００３】
US第5,810,590 A号公報は、２つの独立した回転防止構造を有する他の歯科インプラントを開示し、この歯科インプラントでは、患者の顎骨内に歯科インプラントを挿入した後に、第２回転防止構造が初期状態にある。二組の回転防止構造は、インプラント内側の突起に形成されており、所定の共通長さを超えて縦軸に沿って延びている。しかし、回転防止構造を有する突起の製造は、非常に手間がかかる。
【発明の概要】
【発明が解決しようとする課題】
【０００４】
請求されている本発明の目的は、上述の問題を克服し、容易に製造でき、独立した回転防止構造を有する小型の歯科インプラントを提供することである。
【課題を解決するための手段】
【０００５】
本発明によれば、第１組の回転防止構造および第２組の回転防止構造は、少なくとも共通長さを超え、縦軸に沿って形成されている。
【０００６】
従って、内部に回転防止構造を形成するのに必要な穴の長さは、骨の中にインプラントを挿入し、支台に係合するように使用する共通の回転防止構造を備えた穴を有する従来公知の歯科インプラントの穴と同じように短いことが好ましい。このように、本発明の歯科インプラントは、非常に小型で安定しており、特に、最初に示した最先端の歯科インプラントよりも小型で安定している。
【０００７】
更に、均等に形成された第１組の回転防止構造は、前記従来公知の歯科インプラントの共通する回転防止構造のように形成され、均等に形作られた第２組の回転防止構造と併用するように形成されてもよい。しかし、本発明によれば、第２組の回転防止構造は、支台に接続するためだけに使用され、従って、従来公知の支台を改良する必要がない。
【０００８】
第１および第２回転防止構造は共通長さを超えて延びているが、これらは共通長さを超えて延びるだけではないことが好ましく、即ち、第１および第２回転防止構造は位置および長さにおいて同一ではない。それどころか、第１回転防止構造および第２回転防止構造は、ほんの部分的に共通長さを超えて形成されることが好ましい。
【０００９】
従って、特に好適な特徴によれば、本発明は、縦軸と、歯冠側端部(coronal end)とを有する伸長体と、前記歯冠側端部から長手方向に延びる内部穴と、前記内部穴の内周に形成され、長手方向に延在する複数の回転防止構造とを備え、回転防止構造の第１組が、第１回転防止特性をもたらし、回転防止構造の第２組が、前記第１回転防止特性から独立した第２回転防止特性をもたらす、患者の顎骨内に挿入する歯科インプラントにおいて、第１組の回転防止構造と第２組の回転防止構造とが、部分的に共通長さを超えて縦軸に沿って延びていることを特徴とする歯科インプラントを提供する。
【００１０】
本実施形態によれば、第１組の回転防止構造は長手方向穴の第１長さを超えて延び、第２組の回転防止構造が長手方向穴の第２長さを超えて延び、前記第１長さおよび第２長さは位置および値において同じではない。従って、この実施形態では、前記長さは穴の中で、同じ始点および終点を有していない。第１長さおよび第２長さを同じ値にすることができる一方で、このとき、第１長さおよび第２長さは穴の中で交互に配置されなければならない。同じように、２つの長さが同じ始点および終点を有することができるが、２つの構造が同じ位置から始まり、または終わるとき、２つの長さは同じにしなければならない。この実施形態では、第１及び第２の回転防止構造は共通長さを超えて重複するが、完全には位置決めされない。これは、個々の回転防止構造が、意図された機能に特に適する一方で長手方向穴の長さを最小にする態様で配置され、寸法決めされることを可能にする。
【００１１】
例えば、第１組の回転防止構造が挿入工具と有効に係合するように意図されるとき、トルクは前記工具からインプラントまで第１回転防止構造を介して伝達されるように、第１組の回転防止構造が第２組の回転防止構造よりも、長手方向穴の全長を超えて延びることが好ましい。これにより、トルクを伝達するためにより広くの表面が得られる。更に、または代案として、第１組の回転防止構造は第２組よりも一層、インプラントの歯冠側端部の近くで始まっても良い。第１組の回転防止構造をインプラントの上部近傍に配置することにより、第１組の回転防止構造が挿入工具に係合しやすくなる。
【００１２】
好ましくは、第２組の回転防止構造は全体的に、第１組の回転防止構造により囲まれている。このように、第２組の回転防止構造は、全体的に第１組の範囲内に包含されているので、穴の全体長さに影響を与えない。第２組の回転防止構造は、第１組の１／３から１／２の長さであることが好ましい。
【００１３】
インプラントと支台との間を確実に連結するため、長手方向穴の歯冠側端部に傾斜部を設けることは公知である。支台の連結部は適合する傾斜を有し、前記２つの部材間の適する密封連結を可能にする。
【００１４】
従って、前記穴はその歯冠側端部に内方に向かって傾斜する円錐形状面を有し、第１組および第２組の回転防止構造の共通長さが前記円錐形状面の先端に配置されている。インプラントの歯冠側端部に、回転防止構造を伴わない傾斜面を設けることは、インプラントと支台との間の密封係合を確実にし、これにより、バクテリアが前記穴に侵入するのを防止する。このことは、支台が全ての回転防止構造と係合しないので、この場合に特に重要である。隙間が支台と、例えば第１組の回転防止構造との間に存在するので、完全な密封がこれらの構造の歯冠側に形成されることは有益である。
【００１５】
それ自体で独創的であるとみなされるため、他の特徴から検討すると、本発明は、縦軸と、歯冠側端部とを有する伸長体と、前記歯冠側端部から長手方向に延びる内部穴とを備え、歯冠側端部から円筒部の円錐形状面に近接する先端方向に延び、内方に傾斜する円錐形状面を有する患者の顎骨内に挿入する歯科インプラントにおいて、前記穴が更に、第１回転防止特性をもたらし、均等に形成された長手方向に延在する第１組の回転防止構造と、第２回転防止特性をもたらし、均等に形成された長手方向に延在する第２組の回転防止構造とを備え、前記第１組の回転防止構造および前記第２組の回転防止構造が、少なくとも共通長さを超え、縦軸に沿って前記円錐形状面の先端に延びる歯科インプラントを提供する。
【００１６】
本発明の文脈の中で“円錐形状面”は単に円錐面を意味し、すなわち、面が第１半径から、より小径の第２半径まで傾斜する。
【００１７】
好適な実施形態では、第１組の回転防止構造が前記円錐形状面内で始まり、第２組は円錐形状面の端部から始まる。この実施形態では、第１組の回転防止構造が挿入工具と組み合わせて使用され、インプラントにトルクを伝達し、第２組が支台と組み合わされて使用され、支台とインプラントとの間の相対的回転を防止する。第１組の回転防止構造を部分的に穴の円錐形状面内に配置することで、第１組の回転防止構造はインプラントの歯冠側端部に近づくと共に、より長くなる。第２組の回転防止構造を円錐形状面の端部に配置することで、支台の構成を簡単にし、従来の支台を本発明のインプラントに使用することができる。
【００１８】
第１組の回転防止構造は穴の内部で始まるが、インプラントの歯冠側端部までは延びていない。従って、この実施形態では、円錐面の上側先端に位置する大部分の面は、滑らかに壁で囲まれ、これによりインプラントと支台との間の密封係合を確実にする。例えば、第１組の回転防止構造は穴の少なくとも０．３ｍｍ、例えば０．５ｍｍだけ内側から始まってもよい。
【００１９】
それぞれの回転防止構造は、半径方向に寸法を有する少なくとも１つの面を備えなければならない。従って、前記面に接触する対象物は縦軸周りに回転するのを防止し、トルクが対象物とインプラントの間を伝達できる。個々の回転防止構造はこのように、少なくとも１つ、好ましくは少なくとも２つの回転防止面を備えることで、前記回転防止構造が両方向への回転抵抗を提供できる。
【００２０】
個々の例の回転防止構造は、一定の間隔を空けた角度間隔で配置されることが好ましい。これは結局、インプラント軸周りに力を分散するのに役立つ。同じ目的で、第１組の回転防止構造が均等に形成されることが好ましく、第２組の回転防止構造は前記第１組と異なるが均等に形成されることが好ましい。形状のこの違いは、挿入工具または支台が間違った回転防止構造と係合するのを防止する。個々の回転防止構造は、複数例の異なる形状の構造を有することができる。インプラント軸の周りに均一に力を分散するため、これらの例は、回転防止構造が縦軸に平行に横たわる対称な少なくとも１本の線の周りに対称に配置すべきである。例えば、回転防止構造は縦軸の周りに交互に配置された２つの異なる形状の構造を有してもよい。しかし、構成を簡単にするため、個々の回転防止特性のための全ての回転防止構造は均等に形成されることが好ましい。
【００２１】
第１組および第２組の回転防止構造は、互いに関して不連続な角度位置に配置された回転防止面を備えることが好ましい。このように、挿入工具は、第２構造の回転防止面に接することなく第１構造の回転防止面に接するように形成されることができる。これにより、第２回転防止構造は歯科支台と接触するため、元の状態に保持することができる。
【００２２】
半径方向に配列された面を有する回転防止構造を作成するため、既存のインプラントにおいて、長手方向穴が回転防止構造を形成する溝を有することは公知である。しかし、インプラントから素材を除去することにより、インプラントの強度は弱くなる。従って、好適な実施形態では、少なくとも１つの回転防止特性の回転防止構造は、内部穴上の突起（突出）により形成されている。このような実施形態では、第１および第２の回転防止構造が重複する穴の共通長さが、円筒形状であり半径ｒを有してもよい。少なくとも一例の回転防止構造はこのように、ｒの内方に延びる突起を備えている。他の実施形態では、共通長さは縦軸に平行な平面内にある別の楕円形基部の形状(elliptical base  shape)を有してもよく、突起はこの基部形状の内方に突出する。突起を設けることで、素材が内部穴の構造内で除去されず、インプラントを強化する。上述したように、個々の例の回転防止構造は一定の間隔を空けた角度間隔で配置されることが好ましく、これにより、突起は楕円形面を有する穴の区分間に配置され、例えば円筒形穴の場合には半径ｒを有する。
【００２３】
それ自体で独創的であるとみなされるため、更なる特徴から検討すると、本発明は、縦軸と、歯冠側端部とを有する伸長体と、歯冠側端部から長手方向に延びる内部穴とを備え、長手方向に延在する第１組の回転防止構造が第１回転防止特性をもたらし、かつ、長手方向に延在する第２組の回転防止構造が第２回転防止特性をもたらし、前記第１組の回転防止構造および前記第２組の回転防止構造が、少なくとも部分的に前記内部穴の共通長さを超えて延びる、患者の顎骨内に挿入する歯科インプラントにおいて、少なくとも一例の回転防止構造が、前記内部穴上の突起により形成されたことを特徴とする歯科インプラントを有する。
【００２４】
両回転防止構造を別々に形成し、突起の形状が異なってもよい。しかし、他の例の回転防止構造は、例えば溝などくぼみから形成されることが好ましい。特に好適な実施形態では、他の少なくとも複数の回転防止構造、すなわち、第１の構造では、回転防止構造が突起内に形成された溝によって形成されている。ある好適な実施形態では、他の特性の全ての回転防止構造が突起内に形成されている。このように、第１および第２の回転防止構造は適合し、互いに重ね合わされる（交互に配置される）。くぼみが突起内に完全に包含されるとき、両例の回転防止面はｒを超えることなくｒの内方で延びている。これにより回転防止手段の構成を簡単にする。
【００２５】
代案の実施形態では、溝がインプラント本体の内部に延在してもよく、すなわち、溝がｒを超えて延びることができる。溝は突起内、若しくは内部穴の楕円形壁部内、またはその両方に形成されてもよい。第１組の回転防止構造をインプラント本体の内部に延びる溝のように創作することは、対応する挿入工具のレバーの長さを増し、これによりインプラントに伝達されるトルクが増大する。
【００２６】
好適な実施形態では、第１組および第２組の回転防止構造は半径ｒの穴の共通長さを超えて延び、このとき、第１組の回転防止構造は半径方向にｒを超えて配置された回転防止面を備え、第２組の回転防止構造はｒの内方に配置された回転防止面を備えている。このように、第１および第２の回転防止構造の回転防止面は半径方向に、および角度をつけて配置されている。
【００２７】
歯科インプラントを骨の中に挿入するため、第１組の回転防止構造に係合するために特別な工具が必要である一方、第２組の回転防止構造を初期状態に維持する。
【００２８】
本発明の歯科インプラントと連携するのに適する工具は、内部穴における回転防止構造部のほぼ全ての横断面を塞ぐ一方、第１組の回転防止構造に適合する形で始まるように形成された先端部を有している。工具先端部は挿入される際に第２組の回転防止構造と接触しないように形成されてもよく、または第２組の回転防止構造とわずかに接触することが可能であるが、その接触は第２組の回転防止構造を損傷しないように形成されてもよい。
【００２９】
歯科インプラントを患者の骨に挿入する有利な工具は、この工具の縦軸方向に一定の横断面を備えた先端部を備え、前記先端部の横断面が、縦軸に沿って延びる平らな側面および扁平な角を有する多角形、特に正方形と、円形または湾曲した凸状の外形を有し前記先端部の外周に等間隔に配置された複数の長手方向に延びる突起とを備え、多角形の個々の扁平な角が、前記突起の１つと係合し、および／または前記多角形の個々の平らな側面が、前記突起の１つと係合する。
【００３０】
更なる特徴から検討すると、本発明は、前述したインプラントと、遠位端でトルクを第１組の回転防止構造を介して工具からインプラントまで伝達できるように、第１組の回転防止構造と係合するように形成され、更に、トルクを伝達している間、第２組の回転防止構造と係合しないように形成された先端部を有する挿入する工具とを備えた歯科インプラントキットを提供する。
【００３１】
前記キットは更に、インプラントに連結する支台を備えることが好ましく、前記支台はインプラントの長手方向穴の中に挿入する連結部を有し、前記連結部は第１組の回転防止構造と係合することなく第２組の回転防止構造と係合するように形成された回転防止構造を備えている。
【発明の効果】
【００３２】
本発明に係る歯科インプラントは、容易に製造できる。特に、内部穴の内周にある回転防止構造は、形削り盤により、例えば、ワークピース(workpiece)および形削り工具のそれぞれを再固定する、または再配置することのない１つまたは２つの形削り工具を用いて形成できる。
【００３３】
本発明の上述した、および他の特徴と利点は、添付図面から生じる例示された実施形態の以下の詳述から明らかになり、直ちに理解されるであろう。
【図面の簡単な説明】
【００３４】
【図１】本発明の第１実施形態に係る歯科インプラントの歯冠側端部からの平面図、および長手方向部分断面図である。
【図２】本発明の第２実施形態に係る歯科インプラントの歯冠側端部からの平面図、および長手方向部分断面図である。
【図２ａ】図２の歯科インプラントの斜視図、および歯科インプラントを骨の中に挿入する工具の斜視図である。
【図２ｂ】図２の歯科インプラントの改良例を示す斜視図、および歯科インプラントを骨の中に挿入する工具の斜視図である。
【図３】本発明の第３実施形態に係る歯科インプラントの歯冠側端部からの平面図、および長手方向部分断面図である。
【図３ａ】図３の歯科インプラントの斜視図、および歯科インプラントを骨の中に挿入する工具の斜視図である。
【図３ｂ】図３の歯科インプラントの改良例を示す斜視図、および歯科インプラントを骨の中に挿入する工具の斜視図である。
【図４】歯科インプラントを骨の中に挿入する工具の平面図および側面図である。
【図５】本発明の第４実施形態に係る歯科インプラントの歯冠側端部からの平面図、および長手方向部分断面図である。
【図５ａ】図５の歯科インプラントの斜視図、および歯科インプラントを骨の中に挿入する工具の斜視図である。
【図５ｂ】図５の歯科インプラントの改良例を示す斜視図、および歯科インプラントを骨の中に挿入する工具の斜視図である。
【発明を実施するための形態】
【００３５】
図１に示すように、患者の鍔骨内に挿入する歯科インプラントは、縦軸２と、全体的に縦軸２に直交する歯冠側端部４とを有する軸方向に対称な伸長体を備えている。図１の下側になる長手方向断面図では、歯科インプラントはその長さ全体に沿って示されておらず、鍔骨に挿入するスレッドを有する先端部が図示されていない。
【００３６】
歯冠側端部４から、下部に雌ねじを有する盲穴である段状内部穴６が縦軸２に沿って歯科インプラント内を延びている。穴６の近位部８の内周には、複数の回転防止構造が形成されている。穴６は、少なくとも回転防止構造の長さが共通する領域において、基部となる半径ｒの円筒形状を有し、この円筒形状に関して回転防止構造が形成されている。他の実施形態では、この伸長体は代案の楕円形ベース（ｅ≠０）を有し、また、円筒形よりも円錐形であってもよい。
【００３７】
均等に形作られた回転防止構造の第１組は、穴６の内周に４つの長手方向に延在する溝またはくぼみ１０を備えている。全てのくぼみ１０は、同じ半円断面または外形を有している。４つのくぼみ１０は穴６の内周に等間隔に区分されている。４つのくぼみ１０は、鍔骨内にインプラントを挿入する際に、適切に形成された工具に係合する第１回転防止特性をもたらす。
【００３８】
これらのくぼみ１０は、半径方向の寸法を有し、共通長さａの穴の半径ｒを超えて半径方向に延びる回転防止面を設けている。
【００３９】
均等に形作られた回転防止構造の第２組は、穴６の内周に４つの長手方向に延在する突起１２を備えている。全ての突起１２は同じ平面、適切な長方形の輪郭または外形を有している。４つの突起１２は穴６の内周に等間隔に分布し、くぼみ１０と交互に位置し、突起１２がくぼみ１０に対して４５度ずらされている。４つの突起１２は、インプラントに組み込まれる際に、歯冠を支持する適切に形成された支台、または第２部分を形成する支台が係合する第２回転防止特性をもたらす。
【００４０】
突起１２の側面が、回転防止面を形成している。これらは半径ｒよりも半径方向内側に延びている。更にまたは代案として、突起１２の端面もまた、回転防止面として作用する。
【００４１】
図１の長手方向断面を参照すると、くぼみ１０は縦軸２に沿って長さｂだけ延在する一方、突起１２は縦軸２に沿って長さａだけ延在し、長さａは長さｂの約１／２または２／３である。このように、くぼみ１０および突起１２は縦軸に沿って一致することなく、共通長さａだけ延在している。他の実施形態において、ここでは図示しないが、くぼみ１０および突起１２が交互に配列され、共通長さｃが長さａおよびｂの重複により形成されてもよい。
【００４２】
くぼみ１０および突起１２は、穴６の共通長さａにわたって複雑で幾何学的な断面を創出する。しかし、基部となる円筒形状は明確に特定でき、この基部形状に一致する穴６の部分は回転防止構造の間に配置されている。
【００４３】
くぼみ１０は縦軸２に直交し、完全に突起１２の輪郭と異なる形状を有するので、本発明は確実に、骨に歯科インプラントを挿入する工具１１１が多少なりとも突起１２に係合し、若しくは突起１２を損傷することを防止し、または、工具若しくは支台が穴６の近位部８内に挿入される際に、多少なりとも支台がくぼみ１０に係合し損傷するのを防止する。このように、回転防止構造１０または１２の一方が使用されるが、他方の回転防止構造は確実に、初期状態に維持されている。
【００４４】
回転防止構造の縦軸２方向の下方には、穴６の近位部８が逃げ溝１４(undercut)の形状の拡張域を有している。逃げ溝１４は、例えば、縦軸２に沿って往復する１つまたは２つの形削り工具を用いた形削り盤によるくぼみ１０および突起１２の機械加工を容易にする。くぼみ１０および突起１２は縦軸２に垂直である面内に実質的に位置決めされているので、インプラントのワークピースおよび形削り工具のそれぞれを再固定する、または再配置することなく形成できる。
【００４５】
回転防止構造の縦軸２方向の上方には、穴６の歯冠部が内方に傾斜した円錐形状部９を備えている。第１回転防止特性のくぼみ１０はこの傾斜部９内であるが、インプラントの歯冠側端部４から隔てた場所で始まる。これにより、インプラントと支台との間での密封を可能にする一方、回転防止構造の第１組が穴の中で第２組よりも高く配置されることを可能にする。
【００４６】
図２は、図１の歯科インプラントと同様であるが、４つのくぼみ１０'と４つの突起１２とが互いに交互に配置されておらず、または穴の内周に対し４５度ずれていないという相違点のみを備えた歯科インプラントを示す。図１のくぼみ１０に対応するように形成されたくぼみ１０'および突起１２を同じ角度位置で配置することにより、くぼみ１０'と突起１２とは互いに一致し、または個々のくぼみ１０が１つの広範な突起１２の中央に形成されるように刻設されている。
【００４７】
しかし、第１組および第２組の交互に配置された特質に関わらず、回転防止面は互いに異なる角度で保持される。このように、第１回転防止機構の回転防止面に接するように形成された対象物はまた、第２機構の回転防止面と接する必要はない。
【００４８】
この実施形態では、くぼみ１０'の回転防止面は半径方向に半径ｒを超えると共に、半径ｒの内方に延びている。突起１２の中にくぼみ１０'を形成することは、くぼみ１０'の深さを深くし、これによりインプラントを弱めることなく、第１回転防止機構の回転防止面の面領域を増加する。再度、円形基部形状が半径ｒの中間セグメント内で観察できる。
【００４９】
図２ａは、左から右まで順に、図２の歯科インプラントの斜視図、図２の歯科インプラントの拡大斜視図、骨に図２の歯科インプラントを挿入する工具１１１の斜視図、互いに連結された歯科インプラントと工具の斜視図である。拡大斜視図は、ほぼ垂直に歯科インプラントの上方位置から視ているので、長手方向に延びる構造はとても短く見えることに留意すべきである。同じことが対応する斜視図２ｂ，３ａ，３ｂ，５ａおよび５ｂで生じている。
【００５０】
図２ｂは、図２の歯科インプラントの改良例を示す対応斜視図である。図２および図２ａの歯科インプラントは組織レベル(tissue level)のインプラントであるのに対し、図２ｂの歯科インプラントは骨レベル(bone level)のインプラントである。しかし、長手方向穴６の内部構造は、変わっていない。
【００５１】
図３は、図２の歯科インプラントと同様であるが、図１のくぼみ１０と均等に形成配置された４つの追加のくぼみ１０が設けられた点で異なるという相違点のみを備えた歯科インプラントを示す。第１回転防止機構は、８つの等間隔に配置されたくぼみ１０と１０'により構成されている。図３を参照すると、個々のくぼみ１０と１０'は同じ半円断面または外形を有するが、くぼみ１０'は突起１２内に配置されているのでより大きい。くぼみ１０'は、突起１２と一致する輪郭形状である限り、くぼみ１０と異なる外形であってもよい。くぼみ１０と１０'を対称に配置することにより好ましくは、くぼみ１０と１０'が異なる外形を有するときでさえ、インプラントの軸に関しトルクの伝達を可能にする。
【００５２】
図２と図３のインプラントは、図１に関し説明した同じ内方傾斜部９を有し、第１回転防止構造のくぼみ１０と１０'は内方傾斜部９内で始まる。
【００５３】
図３ａは、左から右まで順に、図３の組織レベルの歯科インプラントの斜視図、図３の歯科インプラントの拡大斜視図、骨に図３の歯科インプラントを挿入する工具１１１の斜視図、互いに連結された歯科インプラントと工具の斜視図である。図３ｂは、図３および図３ａに示す歯科インプラントの骨レベルの改良例の対応斜視図を示す。
【００５４】
図４は、患者の顎骨に図３に示す歯科インプラントを挿入するのに使用する拡大した工具ビットを詳細に示す。図４は図３に対して縮小されているが、工具のインプラント側先端部１６の横断面は、図３の回転防止構造１０，１０'および１２を設けた内部穴の領域の横断面のほぼ全体を占める。
【００５５】
８つの長手方向に延びる突起１８と１８'は、工具のインプラント側先端部１６の外周に等間隔に配置されている。工具が、歯科インプラントの穴６（図１参照）の近位部８に軸方向に挿入されるとき、８つの突起１８と１８'は、８つのくぼみ１０と１０'に嵌合し、適合する形になっている。同時に、工具はどこも、歯科インプラントの突起１２と接しない。
【００５６】
特に、工具先端部１６は、工具の縦軸方向に一定の横断面を有し、先端部１６の横断面は縦軸に沿って延びる平らな側面および扁平な角を有する正方形と、円形または湾曲した凸状の外形を有する８つの長手方向に延びる突起１８および１８'とからなる。正方形の扁平な角はそれぞれ、４つの突起１８の１つを設け、正方形の平らな側面はそれぞれ、突起１８'の１つを設けている。
【００５７】
図１の歯科インプラントに適する工具先端部を得るため、４つの突起１８'が削除され、図２の歯科インプラントに適する工具先端部を得るため、４つの突起１８が削除されるであろう。
【００５８】
工具の駆動側端部２０は、歯科インプラントを骨にねじ込むために手動で駆動される標準的な駆動工具に嵌合される標準的な六角形２０に形成されている。
【００５９】
工具の工具先端部１６と駆動側端部２０との間に、工具は歯科インプラントが骨にねじ込まれるときに横転するのを防止するため、限界点（breaking point）を形成する横断面にくびれ２２または縮径部を有している。
【００６０】
図５は、本発明の第４実施形態に係る歯科インプラントの歯冠側端部からの平面図および長手方向部分断面を示す。この実施形態は、くぼみ１０''が突起１２の中に配置されている点で図２の実施形態と同様である。しかし、この実施形態では、くぼみ１０''は半円ではなく、三角形の輪郭または外形である。更に、これらは突起内に完全に包含されており、すなわち、くぼみは半径ｒを超えて延びていない。このため、くぼみ１０''は、突起１２内にのみ形成され、インプラント本体内には形成されていない。これは、２つの回転防止構造の製造を容易にし、インプラントを強固にする。
【００６１】
この実施形態では、突起１２とくぼみ１０''が完全に長手方向に整列している。くぼみ１０''と突起１２は半径ｒを超えて半径方向に延びないので、くぼみ１０''が突起１２よりも長手方向に長くなることはできない。
【００６２】
図５ａは、左から右まで順に、図５の組織レベルの歯科インプラントの斜視図、図５の歯科インプラントの拡大斜視図、骨に図５の歯科インプラントを挿入する工具１１１の斜視図、互いに連結された歯科インプラントと工具の斜視図である。図５ｂは、図５および図５ａに示す歯科インプラントの骨レベルの改良例の対応斜視図を示す。
【００６３】
図５、図５ａおよび図５ｂから本実施形態において、工具のインプラント側先端部はより単純な輪郭または外形、すなわち、正方形の輪郭または外形を有することを理解すべきである。
【００６４】
上述した実施形態は説明する目的だけであり、当業者は請求項の範囲内に多くの代案構造が可能であることを認識するであろう。特に、回転防止構造の具体的な形状および配置は変更できる。
【００６５】
請求項で言及された技術的特徴に参照番号が付されている場合、これらの参照番号は請求項の理解を深める目的のためだけに付与されており、従って、そのような参照番号は、例示により特定された個々の要素の範囲を限定する効果を有しない。
【００６６】
本発明の特徴によれば、縦軸と全体的に縦軸と直交する歯冠側端部とを有する伸長体と、歯冠側端部から長手方向に延びる内部穴と、内部穴の内周に形成され、長手方向に延在する複数の回転防止構造とを備え、均等に形成された第１組の回転防止構造が、第１回転防止特性をもたらし、均等に形成された第２組の回転防止構造が、前記第１回転防止特性から独立した第２回転防止特性をもたらす、患者の顎骨内に挿入する歯科インプラントにおいて、第１組の回転防止構造と第２組の回転防止構造とが、少なくとも部分的に共通長さを超えて縦軸に沿って延びている。
【００６７】
縦軸に沿った共通長さが、前記回転防止構造のより長い全長の少なくとも半分になることが好ましい。
【００６８】
第１組の回転防止構造が、縦軸に直交し、第２組の回転防止構造と異なる形状を有することが好ましい。
【００６９】
２つの例のうち、１つの回転防止構造が円形または湾曲した外形を有し、他の回転防止構造が角度のある外形を有することが好ましい。
【００７０】
２つの例のうち、１つの回転防止構造が、他の回転防止構造よりも幅があることが好ましい。
【００７１】
２つの例のうち、１つの回転防止構造が内部穴上の突起であり、他の回転防止構造が内部穴上のくぼみであることが好ましい。
【００７２】
第１組と第２組の回転防止構造が、内部穴の内周に等間隔に配置されることが好ましい。
【００７３】
第１組と第２組の回転防止構造が、内部穴の内周に交互に配置されることが好ましい。
【００７４】
少なくとも複数の第１組と第２組の回転防止構造が、交互に配置されることが好ましい。
【００７５】
回転防止構造が内部穴の内周に、形削り盤により形成され、および／または大部分が機械加工されることが好ましい。
【００７６】
本発明の他の特徴によれば、歯科インプラントキットは、前述した少なくとも１つの歯科インプラントと、第１組の回転防止構造に係合することにより骨の中に歯科インプラントを挿入し、内部穴に設けた回転防止構造部の横断面のほぼ全体を占めるように形成される一方、第１組の回転防止構造と係合する形をした先端部を有する工具とを備えた。
【００７７】
本発明の他の特徴によれば、前述した歯科インプラントを挿入する工具が、この工具の縦軸方向に一定の横断面を備えた工具先端部を備え、前記先端部の横断面が、縦軸に沿って延びる平らな側面および扁平な角を有する多角形と、円形または湾曲した凸状の外形を有し前記先端部の外周に等間隔に配置された複数の長手方向に延びる突起とを備え、多角形の個々の扁平な角が、前記突起の１つと係合し、および／または前記多角形の個々の平らな側面が、前記突起の１つと係合する。
【００７８】
前記多角形が正方形であることが好ましい。
前記工具が、限界点を示す首部を有することが好ましい。
【符号の説明】
【００７９】
２  縦軸
４  歯冠側端部
６  内部穴
９  円錐形状面
１０，１０'  第１組の回転防止構造（くぼみ）
１２  第２組の回転防止構造（突起）
１６  先端部
【図１】
2013502959.tif 000003
【図２】
2013502959.tif 000004
【図２ａ】
2013502959.tif 000005
【図２ｂ】
2013502959.tif 000006
【図３】
2013502959.tif 000007
【図３ａ】
2013502959.tif 000008
【図３ｂ】
2013502959.tif 000009
【図４】
2013502959.tif 000010
【図５】
2013502959.tif 000011
【図５ａ】
2013502959.tif 000012
【図５ｂ】
2013502959.tif 000013
【国際調査報告】
2013502959.tif 000014
2013502959.tif 000015
2013502959.tif 000016
2013502959.tif 000017
2013502959.tif 000018